(57)【要約】【課題】現場での配筋作業を容易としながら、独立基礎の剥落防止を図ることができる独立基礎の配筋構造及び独立基礎を提供する。【解決手段】隣り合う４つの建物ユニットの柱集合部に対応して設けられた柱受け基礎１２には、各建物ユニットがそれぞれ２つのアンカーボルト１８Ａ，１８Ｂにより固定されている。柱受け基礎１２には、複数の縦筋部４５を囲むようにフープ筋４２が設けられている。フープ筋４２は、各建物ユニットのアンカーボルト１８Ａを囲むように配置されている。柱受け基礎１２には、各アンカーボルト１８Ｂごとに補強筋５０が設けられている。各補強筋５０はアンカーボルト１８Ｂを囲む囲み部５８を有し、囲み部５８においてアンカーボルト１８Ｂに対して基礎外側に配置された部位が剥落防止部６４となっている。はかま筋４１には上側横筋部４６が設けられ、各補強筋５０はその上側横筋部４６上に支持される被支持部を有している。【選択図】図５
2015140586.tif 000002
【特許請求の範囲】
【請求項１】
基礎上において横並びに設けられた複数の建物ユニットと、
４つの前記建物ユニットの各柱が集合する柱集合部に対応して設けられ、その柱集合部を構成する各柱がそれぞれ上方に設置された前記基礎としての独立基礎とを備え、
前記柱集合部を構成する４つの前記各柱のうち隣り合う２つの前記柱が並ぶ方向であってかつ互いに直交しあう各方向をそれぞれ第１方向及び第２方向とした場合に、前記４つの建物ユニットはそれぞれ、前記柱に対して前記第１方向における前記柱集合部の外側で第１アンカー部を介して前記独立基礎に固定され、
前記４つの建物ユニットのうち少なくともいずれかの建物ユニットは、前記柱に対して前記第２方向における前記柱集合部の外側でさらに第２アンカー部を介して前記独立基礎に固定されているユニット式の建物において、
前記独立基礎に対して適用される配筋構造であって、
上下方向に延びる複数の主筋と、
前記各主筋を囲むようにして設けられ、内側に前記各第１アンカー部がそれぞれ位置するようにかつ外側に前記第２アンカー部が位置するように配置されたフープ筋と、
前記第２アンカー部ごとに設けられた補強筋と、を備え、
前記補強筋は前記第２アンカー部を囲むように設けられ、前記第２アンカー部に対して前記独立基礎の外側に配置された部位が剥落防止部となっている囲み部を有しており、
前記複数の主筋のうち少なくともいずれかの主筋には、横向きに延びて前記補強筋を支持する支持部が設けられており、
前記補強筋は、前記支持部上に支持された被支持部を有していることを特徴とする独立基礎の配筋構造。
【請求項２】
前記主筋は、その上端部において横向きに折り曲げられ、その横向き部分によって前記支持部が形成されていることを特徴とする請求項１に記載の独立基礎の配筋構造。
【請求項３】
前記主筋は、鉄筋が折り曲げられることにより形成され、上下方向に延びる一対の主筋部と、それら各主筋部の上端部同士を繋ぐ前記支持部とを有しており、
前記支持部は、前記４つの建物ユニットのうち隣り合う２つの建物ユニットの前記各第２アンカー部付近に跨がって延びており、
それら各第２アンカー部の前記補強筋がそれぞれ前記支持部に支持されていることを特徴とする請求項１又は２に記載の独立基礎の配筋構造。
【請求項４】
前記独立基礎の底部を構成するフーチング部にはベース配筋部が設けられており、
前記主筋は、前記各主筋部の下端部からそれぞれ横向きに延び、前記ベース配筋部上に載置される一対の載置部を有することを特徴とする請求項３に記載の独立基礎の配筋構造。
【請求項５】
基礎コンクリートの内部に請求項１乃至４のいずれか一項に記載の独立基礎の配筋構造を備える独立基礎であって、
前記基礎コンクリートは、平面視における四隅部分のうち少なくともいずれかが切り欠かれた形状を有していることを特徴とする独立基礎。
【発明の詳細な説明】
【技術分野】
【０００１】
本発明は、独立基礎の配筋構造及び独立基礎に関する。
【背景技術】
【０００２】
ユニット式建物は、梁及び柱を有してなる複数の建物ユニットが基礎上に並べられることにより構築されている。基礎としては、建物外周部に沿って設けられる布基礎と、その布基礎により囲まれた内側空間（床下空間）に設けられる独立基礎とがある。建物ユニットは、その各柱がそれぞれ布基礎上又は独立基礎上に載置されることにより設置されており、その設置状態で布基礎又は独立基礎に対しアンカーボルトを介して固定されている。
【０００３】
ここで、地震発生時等に建物ユニットからアンカーボルトを介して基礎に水平力又は引抜力が伝達される場合、その水平力又は引抜力によりアンカーボルト周辺で基礎の剥落が生じるおそれがある。そこで、かかる剥落を防止するための対策として、特許文献１には、布基礎の立ち上がり部の内部においてアンカーボルトの周囲に補強筋を配する技術が提案されている。この補強筋は、アンカーボルトを囲む囲み部を有しており、その囲み部においてアンカーボルトを挟んだ立ち上がり部の厚み方向両側の部分がそれぞれ剥落防止部となっている。この場合、この剥落防止部によって、布基礎の剥落を防止することができる。なお、特許文献１の補強筋は、布基礎の立ち上がり部内で基礎長手方向に延びる主筋上に支持される被支持部を有し、その被支持部が主筋上に支持された状態で配置されている。
【０００４】
独立基礎は、隣り合う４つの建物ユニットの各柱が集合する柱集合部に対応して設けられている。図１０（ａ）は、その柱集合部周辺を示す横断面図となっている。同図１０（ａ）に示すように、独立基礎９０の上方には、柱集合部を構成する各柱９２がそれぞれ設置されている。独立基礎９０には、柱集合部付近で上記４つの建物ユニット９３がそれぞれアンカーボルト９５を介して固定されている。具体的には、建物ユニット９３の柱９２からは直交する２方向に床大梁９６が延びており、それら各床大梁９６のうち一方の床大梁９６がアンカーボルト９５を介して独立基礎９０に固定されている。
【０００５】
図１０（ｂ）には、独立基礎９０の配筋構造を示す。同図１０（ｂ）に示すように、独立基礎９０には、その内部に、上下方向に延びる複数の主筋９７と、それら複数の主筋９７を束ねるように配置される上下複数のフープ筋９８とが設けられている。フープ筋９８は、独立基礎９０に埋設された各アンカーボルト９５をそれぞれ外側から囲むように配置されている。独立基礎９０では、このフープ筋９８によって、各アンカーボルト９５周辺における独立基礎９０の剥落防止を図るようにしている。
【０００６】
なお、図１０（ｂ）中の符号１００はアンカーボルト９５が挿入されるアンカーホールであり、符号９４は独立基礎９０のフーチング部に設けられた格子状のベース配筋部である（図１１（ｂ）も同様）。
【先行技術文献】
【特許文献】
【０００７】
【特許文献１】特開２０１１−１９０５９０号公報
【発明の概要】
【発明が解決しようとする課題】
【０００８】
ところで、独立基礎に対する建物ユニットの固定強度を高める等の目的で、４つの建物ユニットがそれぞれ２つのアンカーボルトを用いて独立基礎に固定される場合が考えられる。この場合、図１１（ａ）に示すように、建物ユニット９３の柱９２から直交する２方向に延びる各床大梁９６がそれぞれアンカーボルト９５を介して独立基礎９０に固定されることが考えられる。
【０００９】
なお、以下においては、上記２方向に延びる各床大梁９６のうち図の上下方向に延びる床大梁９６を固定するアンカーボルト９５の符号にＡを付し、図の左右方向に延びる床大梁９６を固定するアンカーボルト９５の符号にＢを付す。
【００１０】
ここで、４つの建物ユニット２０がそれぞれ２つのアンカーボルト９５Ａ，９５Ｂにより独立基礎９０に固定される上記の構成にあって、各アンカーボルト９５Ａ，９５Ｂ周辺における基礎の剥落防止を図るにあたっては、例えば図１１（ｂ）に示すような配筋構造とすることが考えられる。すなわち、４つの建物ユニット９３の各アンカーボルト９５Ａを囲むフープ筋９８Ａに加え、各アンカーボルト９５Ｂを囲むフープ筋９８Ｂを別途設けることが考えられる。
【００１１】
しかしながら、この場合、２つのフープ筋９８Ａ，９８Ｂ同士が一部交差するように配置されるため、施工現場で独立基礎９０に一方のフープ筋９８Ａ（９８Ｂ）を配筋した後、他方のフープ筋９８Ｂ（９８Ａ）を配筋する際に、一方のフープ筋９８Ａ（９８Ｂ）が作業の邪魔となるおそれがある。そのため、その配筋作業が著しく困難になるおそれがある。
【００１２】
本発明は、上記事情に鑑みてなされたものであり、現場での配筋作業を容易としながら、独立基礎の剥落防止を図ることができる独立基礎の配筋構造及び独立基礎を提供することを主たる目的とするものである。
【課題を解決するための手段】
【００１３】
上記課題を解決すべく、第１の発明の独立基礎の配筋構造は、基礎上において横並びに設けられた複数の建物ユニットと、４つの前記建物ユニットの各柱が集合する柱集合部に対応して設けられ、その柱集合部を構成する各柱がそれぞれ上方に設置された前記基礎としての独立基礎とを備え、前記柱集合部を構成する４つの前記各柱のうち隣り合う２つの前記柱が並ぶ方向であってかつ互いに直交しあう各方向をそれぞれ第１方向及び第２方向とした場合に、前記４つの建物ユニットはそれぞれ、前記柱に対して前記第１方向における前記柱集合部の外側で第１アンカー部を介して前記独立基礎に固定され、前記４つの建物ユニットのうち少なくともいずれかの建物ユニットは、前記柱に対して前記第２方向における前記柱集合部の外側でさらに第２アンカー部を介して前記独立基礎に固定されているユニット式の建物において、前記独立基礎に対して適用される配筋構造であって、上下方向に延びる複数の主筋と、前記各主筋を囲むようにして設けられ、内側に前記各第１アンカー部がそれぞれ位置するようにかつ外側に前記第２アンカー部が位置するように配置されたフープ筋と、前記第２アンカー部ごとに設けられた補強筋と、を備え、前記補強筋は前記第２アンカー部を囲むように設けられ、前記第２アンカー部に対して前記独立基礎の外側に配置された部位が剥落防止部となっている囲み部を有しており、前記複数の主筋のうち少なくともいずれかの主筋には、横向きに延びて前記補強筋を支持する支持部が設けられており、前記補強筋は、前記支持部上に支持された被支持部を有していることを特徴とする。
【００１４】
本発明によれば、４つの建物ユニットがそれぞれ第１アンカー部を介して独立基礎に固定され、それら４つの建物ユニットのうち少なくともいずれかの建物ユニットがさらに第２アンカー部を介して独立基礎に固定されている。この場合、各建物ユニットの第１アンカー部はそれぞれフープ筋によって囲まれているため、各第１アンカー部周辺における独立基礎の剥落防止を図ることができる。その一方で、第２アンカー部に対しては補強筋が設けられている。この補強筋の囲み部は第２アンカー部を囲むように設けられており、その囲み部において第２アンカー部に対して基礎外側に配置された部分が剥落防止部となっている。これにより、この剥落防止部によって第２アンカー部の周囲における独立基礎の剥落防止を図ることができる。
【００１５】
また、補強筋はその被支持部が主筋から横向きに延びる支持部上に支持されているため、施工現場で補強筋を基礎に配筋する際には被支持部を支持部上に載せるといった簡単な作業で補強筋を配筋することができる。このため、第１アンカー部を囲むフープ筋を配筋した後であっても、第２アンカー部に対して補強筋を容易に配筋することができる。これにより、４つの建物ユニットのうち少なくともいずれかの建物ユニットが２つのアンカー部により独立基礎に固定される構成にあって、施工現場での配筋作業を容易としながら、独立基礎（例えば第２アンカー部周辺のコンクリート部分）の剥落防止を図ることができる。
【００１６】
ところで、各第１アンカー部及び各第２アンカー部を１つのフープ筋によりまとめて（矩形形状に）囲むようにしても、各アンカー部周辺における基礎の剥落防止を図ることは可能である。しかしながら、この場合、フープ筋の平面視の大きさが第１方向及び第２方向のそれぞれに大きくなってしまい、フープ筋をその４隅で支える主筋が独立基礎の４隅にて大きく外側に位置してしまうことになる。そうすると、それに伴い、独立基礎の４隅に切り欠き部（図１１（ａ）の符号９９参照）を設けることができなくなる等、独立基礎の基礎ボリュームが増大してしまうおそれがある。この場合、独立基礎に隣接してインナガレージやエレベータ等を設ける場合に、独立基礎によってスペース上の制約が生じてしまうおそれがある。
【００１７】
その点本発明によれば、第１アンカー部のみをフープ筋で囲うようにしているため、フープ筋の大きさを少なくとも第１方向にだけ大きくすればよい。そのため、１つのフープ筋でまとめて第１アンカー部及び第２アンカー部をそれぞれ囲む場合と比べ、主筋を独立基礎の４隅にて大きく外側に位置するよう配置する必要がない。したがって、独立基礎の４隅に切り欠き部を設ける等して基礎ボリュームの低減を図ることができるため、独立基礎によりスペース上の制約が生じるのを抑制しながら、基礎剥落の防止を図ることが可能となる。
【００１８】
第２の発明の独立基礎の配筋構造は、第１の発明において、前記主筋は、その上端部において横向きに折り曲げられ、その横向き部分によって前記支持部が形成されていることを特徴とする。
【００１９】
本発明によれば、主筋の一部が折り曲げられることにより支持部が形成されている。この場合、主筋とは別に支持部を形成しそれを主筋に溶接等で接合する場合と比べて、支持部を簡単に形成することができる。
【００２０】
第３の発明の独立基礎の配筋構造は、第１又は第２の発明において、前記主筋は、鉄筋が折り曲げられることにより形成され、上下方向に延びる一対の主筋部と、それら各主筋部の上端部同士を繋ぐ前記支持部とを有しており、前記支持部は、前記４つの建物ユニットのうち隣り合う２つの建物ユニットの前記各第２アンカー部付近に跨がって延びており、それら各第２アンカー部の前記補強筋がそれぞれ前記支持部に支持されていることを特徴とする。
【００２１】
本発明によれば、上下に延びる一対の主筋部が支持部を介して一体化されることにより主筋が構成されている。この場合、各主筋部（主筋）がばらばらに設けられている構成と比べて、主筋の本数を減らすことができるため、施工現場で主筋を基礎に配置（配筋）する際の作業工数の低減を図ることができる。また、支持部には、隣り合う２つの建物ユニットの各第２アンカー部に設けられた各々の補強筋がそれぞれ支持されているため、それら各第２アンカー部の補強筋をそれぞれ個別の支持部により支持する構成と比べて、支持部の数を減らすことができる。そのため、構成の簡素化を図ることができる。
【００２２】
第４の発明の独立基礎の配筋構造は、第３の発明において、前記独立基礎の底部を構成するフーチング部にはベース配筋部が設けられており、前記主筋は、前記各主筋部の下端部からそれぞれ横向きに延び、前記ベース配筋部上に載置される一対の載置部を有することを特徴とする。
【００２３】
本発明によれば、主筋の下端部に横向きに延びる一対の載置部が設けられているため、現場で主筋を基礎に配置（配筋）する際には、それら各載置部をベース配筋部上に載置することにより主筋を配置することができる。これにより、主筋の配筋作業をし易くすることができる。
【００２４】
また、一対の載置部を各主筋部の下端部からそれぞれ互いに離間する側へ延びるように形成してもよい。この場合、各載置部がベース配筋部上で互いに離れた位置に配置されるため、主筋を安定した状態で配置することができる。そのため、主筋の配筋作業をより一層し易くすることができる。
【００２５】
第５の発明の独立基礎は、基礎コンクリートの内部に第１乃至第４のいずれかの発明の独立基礎の配筋構造を備えるものであって、前記基礎コンクリートは、平面視における四隅部分のうち少なくともいずれかが切り欠かれた形状を有していることを特徴とする。
【００２６】
上述したように、第１の発明の配筋構造では、第１アンカー部及び第２アンカー部のうち第１アンカー部のみをフープ筋で囲い、第２アンカー部に対しては補強筋を設けるようにした。この場合、第１アンカー部及び第２アンカー部を１つのフープ筋により（矩形形状に）まとめて囲う場合と比べて、フープ筋の大きさを小さくすることができるため、フープ筋をその４隅で支える各主筋が独立基礎の４隅にて大きく外側に位置してしまうのを抑制することができる。
【００２７】
そこで本発明では、この点に着目し、第１の発明の配筋構造を基礎コンクリートの内部に有する独立基礎において、その基礎コンクリートにおける４隅のうち少なくともいずれかを切り欠いた形状としている。この場合、その切り欠き分だけ基礎ボリュームの低減を図ることができるため、例えば独立基礎に隣接してインナガレージやエレベータ等を設ける際、独立基礎によってスペース上の制約が生じるのを抑制することができる。
【図面の簡単な説明】
【００２８】
【図１】建物ユニットを示す斜視図。
【図２】基礎上に建物ユニットが設置された状態を示す斜視図。
【図３】柱集合部周辺の構成を示す横断面図。
【図４】柱集合部周辺の構成を示す縦断面図。
【図５】柱受け基礎の配筋構造を示す平面図。
【図６】柱受け基礎の配筋構造を示す縦断面図。
【図７】（ａ）が立ち上がり配筋部の構成を示す平面図であり、（ｂ）が正面図である。
【図８】アンカー部用補強筋の構成を示す斜視図。
【図９】アンカー部用補強筋の配置構成を示す縦断面図。
【図１０】（ａ）が柱集合部を示す横断面図であり、（ｂ）が独立基礎の配筋構造を示す平面図。
【図１１】（ａ）が柱集合部を示す横断面図であり、（ｂ）が独立基礎の配筋構造を示す平面図。
【発明を実施するための形態】
【００２９】
以下に、本発明を具体化した一実施の形態について図面を参照しつつ説明する。本実施形態では、建物としてユニット式建物について具体化している。ユニット式建物は複数の建物ユニットを互いに連結することにより構成される建物である。そこでまず、建物ユニットの構成を図１を用いながら説明する。図１は建物ユニットを示す斜視図である。
【００３０】
図１に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その開口部が向き合うようにして設置されている。
【００３１】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が支持され、床小梁２６によって床面材２８が支持されている。
【００３２】
次に、ユニット式建物としての建物１０について、図２を用いながら説明する。図２は、基礎１１，１２上に建物ユニット２０が設置された状態を示す斜視図である。なお、図２では便宜上、紙面手前側の建物ユニット２０の図示を省略している。
【００３３】
図２に示すように、基礎１１，１２上には複数の建物ユニット２０が並べて設置されている。それら各建物ユニット２０が互いに連結されることによりユニット式の建物１０が構築されている。基礎１１，１２には、建物１０の外周部に沿って設けられた外周基礎１１と、外周基礎１１により囲まれた内側空間（床下空間）に設けられた柱受け基礎１２とがある。外周基礎１１は、鉄筋コンクリート造の布基礎よりなる。外周基礎１１は、床下地盤の内部に埋設されたフーチング部（図示省略）と、そのフーチング部から上方に立ち上がる立ち上がり部１１ａとを有する。
【００３４】
柱受け基礎１２は、鉄筋コンクリート造の独立基礎よりなる。柱受け基礎１２は、床下地盤の内部に埋設されたフーチング部１２ａ（図３や図４参照）と、そのフーチング部１２ａから上方に立ち上がる四角柱状の立ち上がり部１２ｂとを有する。柱受け基礎１２は、建物ユニット２０の柱２１の設置位置に対応して複数箇所に配置されている。また、柱受け基礎１２は、外周基礎１１やその他の柱受け基礎１２と基礎梁１３を介して繋がっている。
【００３５】
建物ユニット２０は、各柱２１をそれぞれ基礎１１，１２上に載置した状態で設置されている。具体的には、建物ユニット２０の各柱２１のうち建物外周部に配置される柱２１は外周基礎１１上に設置され、屋内側に配置される柱２１は柱受け基礎１２上に設置されている。
【００３６】
次に、隣り合う４つの建物ユニット２０の各柱２１が集合する柱集合部の構成について図３及び図４に基づいて説明する。図３は柱集合部周辺の構成を示す横断面図であり、図４は柱集合部周辺の構成を示す縦断面図である。なお、図４は図３のＡ−Ａ線断面図に相当する。
【００３７】
図３及び図４に示すように、柱集合部３０においてその下方には柱受け基礎１２が設けられている。柱受け基礎１２（詳しくは立ち上がり部１２ｂ）は、その平面視の形状が全体として矩形形状をなしている。詳しくは、柱受け基礎１２は、そのコンクリート部分（基礎コンクリートに相当）が平面視における四隅においてそれぞれ矩形形状に切り欠かれている。これにより、柱受け基礎１２の四隅にはそれぞれ切り欠き部１５が形成されている。
【００３８】
柱受け基礎１２の四方にはそれぞれ基礎梁１３が設けられている。基礎梁１３は、柱受け基礎１２の側面、詳しくは柱受け基礎１２の側面において切り欠き部１５により切り欠かれていない張出部分（ふかし部分）より側方へと延びている。この場合、基礎梁１３の幅は当該張出部分の幅と同じとされている。
【００３９】
また、本建物１０には、直交する２つの基礎梁１３により区画されたインナガレージ３３（付属車庫）が設けられている。インナガレージ３３は、柱受け基礎１２（詳しくはその隅部）に隣接して設けられている。
【００４０】
柱受け基礎１２の上には、４つの建物ユニット２０の各柱２１がそれぞれ設置されている。これら各柱２１は、平面視において２列×２列となるように配置されている。各柱２１の下端部にはそれぞれベースプレート３１（柱脚プレート）が固定されている。ベースプレート３１は、平板状の鋼板からなり、柱２１に対して溶接により固定されている。ベースプレート３１は柱受け基礎１２上に載置されており、その載置状態で柱２１が柱受け基礎１２上に設置されている。
【００４１】
ベースプレート３１は、柱２１において床大梁２３が連結された２つの側面からそれぞれ側方に張り出す２つの張出部３１ａを有している。これら各張出部３１ａにはそれぞれ厚み方向に貫通する孔部３４が形成されている。
【００４２】
柱２１に連結された２つの床大梁２３はそれぞれ柱２１付近でアンカーボルト１８を介して柱受け基礎１２に固定されている。アンカーボルト１８は、床大梁２３（詳しくはその下フランジ２３ａ）に対して当該床大梁２３から下方に突出した状態で固定されている。アンカーボルト１８は、その突出した下部がベースプレート３１（張出部３１ａ）の孔部３４に挿通された状態で柱受け基礎１２に埋設されたアンカーホール１９内に挿入されている。
【００４３】
アンカーホール１９は、シース管よりなり、柱受け基礎１２の天端において上方に開口された状態で設けられている。アンカーボルト１８は、アンカーホール１９に挿入された状態で同ホール１９内に充填されたモルタル等の充填剤（グラウト）が固化されることで柱受け基礎１２に固定されている。なお、アンカーボルト１８がアンカー部に相当する。
【００４４】
上記のように、柱集合部３０では、４つの建物ユニット２０がそれぞれ２つのアンカーボルト１８により柱受け基礎１２に固定されている。４つの建物ユニット２０ではそれぞれ、柱２１から直交する２方向に向けて床大梁２３が延びており、それら各床大梁２３がそれぞれアンカーボルト１８により柱受け基礎１２に固定されている。
【００４５】
ここで、柱集合部３０を構成する４つの柱２１において、隣り合う２つの柱２１が並ぶ方向であってかつ互いに直交する２つの方向をそれぞれ第１方向Ｘ及び第２方向Ｙとした場合、柱２１から上記２方向に延びる２つの床大梁２３はそれぞれ第１方向Ｘ及び第２方向Ｙに延びていることになる。そこで、以下の説明では、便宜上、第１方向Ｘに延びる床大梁２３に設けられたアンカーボルト１８の符号にＡを付し、第２方向Ｙに延びる床大梁２３に設けられたアンカーボルト１８の符号にＢを付すこととする。なお、アンカーボルト１８Ａが第１アンカー部に相当し、アンカーボルト１８Ｂが第２アンカー部に相当する。
【００４６】
次に、柱受け基礎１２の配筋構造について図５及び図６に基づいて説明する。図５は、柱受け基礎１２の配筋構造を示す平面図である。図６は、柱受け基礎１２の配筋構造を示す縦断面図であり、図５のＢ−Ｂ線断面図に相当する。なお、図５及び図６では、便宜上、柱受け基礎１２及び基礎梁１３の外形線を二点鎖線（仮想線）で示している。
【００４７】
図５及び図６に示すように、柱受け基礎１２は、その内部に基礎配筋を備えている。基礎配筋は、フーチング部１２ａにおいて略水平に設けられたベース配筋部３６と、ベース配筋部３６から上方に立ち上げられた立ち上がり配筋部３７とを備える。ベース配筋部３６は、格子状に配された複数のベース筋３８（横筋）を備える。それら各ベース筋３８は、互いの交差部で溶接等により固定されることで一体化されている。なお、各ベース筋３８は、異形鉄筋により構成されている。
【００４８】
立ち上がり配筋部３７は、ベース配筋部３６上に設置されている。以下、立ち上がり配筋部３７の構成について図７に基づいて説明する。図７において（ａ）が立ち上がり配筋部３７の構成を示す平面図であり、（ｂ）が正面図である。
【００４９】
図７（ａ）及び（ｂ）に示すように、立ち上がり配筋部３７は、一対のはかま筋４１と、各はかま筋４１にそれぞれ結合された複数のフープ筋４２（帯筋）とを備える。はかま筋４１は、鉄筋（異形鉄筋）が折り曲げられることにより形成されている。はかま筋４１は、上下方向（鉛直方向）に延びる一対の縦筋部４５と、それら各縦筋部４５の上端部同士を互いに連結し横方向（水平方向）に延びる上側横筋部４６と、各縦筋部４５の下端部からそれぞれ互いに離間する側へ横向き（水平方向）に延びる一対の下側横筋部４７とを有する。本実施形態では、各はかま筋４１がそれぞれ同じ構成を有している。なお、はかま筋４１が主筋に相当し、縦筋部４５が主筋部に相当し、上側横筋部４６が支持部に相当し、下側横筋部４７が載置部に相当する。
【００５０】
各はかま筋４１は、所定の間隔をおいて横並びに設けられている。この場合、各はかま筋４１は、平面視において互いに平行となるように配置されている。
【００５１】
フープ筋４２は、鉄筋（異形鉄筋）により四角環状に形成されており、詳しくは長方形状の環状をなしている。フープ筋４２は、一対のはかま筋４１の各縦筋部４５を外側から束ねるようにして設けられている。フープ筋４２は、その（平面視）長手方向（換言すると長辺方向）をはかま筋４１の延在する方向に向けて配置されている。フープ筋４２の４隅内側にはそれぞれ各縦筋部４５が位置している。フープ筋４２は、その四隅位置で各縦筋部４５に針金等の線材を用いて結合されている。また、フープ筋４２は、上下方向に所定の間隔（等間隔）をおいて複数（具体的には３つ）配置されている。
【００５２】
図５及び図６に示すように、立ち上がり配筋部３７は、各はかま筋４１の下側横筋部４７がベース配筋部３６上に載置された状態で設置されている。立ち上がり配筋部３７において、各はかま筋４１はそれぞれ、第２方向Ｙにおいて４つのアンカーボルト１８Ａを挟んだ両側の位置に配置されている。具体的には、各はかま筋４１はそれぞれ、第２方向Ｙにおいて同一の建物ユニット２０の各アンカーボルト１８Ａ，１８Ｂの間となる位置に配置されている。この場合、各はかま筋４１はそれぞれ第１方向Ｘに沿って延在しており、各々の上側横筋部４６がそれぞれ第１方向Ｘに隣り合う２つの建物ユニット２０の各アンカーボルト１８Ａ，１８Ｂに跨がるよう延びている。
【００５３】
各フープ筋４２はそれぞれ、各アンカーボルト１８Ａ（アンカーホール１９Ａ）を囲むようにして配置されている。詳しくは、各フープ筋４２は、各アンカーボルト１８Ａ，１８Ｂのうち、アンカーボルト１８Ａのみを囲むようにして配置されている。この場合、フープ筋４２の内側には（すべての）各アンカーボルト１８Ａがそれぞれ位置し、フープ筋４２の外側には（すべての）各アンカーボルト１８Ｂがそれぞれ位置している。このフープ筋４２によって、アンカーボルト１８Ａ周辺における柱受け基礎１２の剥落が防止されている。
【００５４】
柱受け基礎１２の立ち上がり部１２ｂには、各アンカーボルト１８Ｂごとにそれぞれアンカー部用補強筋５０が設けられている。以下、このアンカー部用補強筋５０の構成について図８に基づいて説明する。図８は、アンカー部用補強筋５０（以下、単に補強筋５０という）の構成を示す斜視図である。
【００５５】
図８に示すように、補強筋５０は、複数の鉄筋が組み合わされることによりかご状に形成されている。補強筋５０は、基本構成が同じである一対の鉄筋材５２を備える。鉄筋材５２は、鉄筋（異形鉄筋）が折り曲げられることにより形成されている。鉄筋材５２は、水平方向に延びる水平部５３及び結合部５４と、鉛直方向に延びる鉛直部５５とを有する。各鉄筋材５２において、水平部５３の両端には一対の結合部５４が形成され、それら各結合部５４の端部（水平部５３とは逆側の端部）にはそれぞれ鉛直部５５が形成されている。水平部５３と結合部５４とは水平面内で垂直に折り曲げられた状態で形成され、結合部５４と鉛直部５５とは鉛直面内で垂直に折り曲げられた状態で形成されている。各鉄筋材５２は、互いに逆向きに配置された状態で互いの結合部５４同士が重ね合わせられており、その重ね合わせられた結合部５４同士が結合金具５６により結合されることで一体化されている。
【００５６】
なお、補強筋５０がかご状に形成されている点からすれば、補強筋５０をかご鉄筋ということもできる。
【００５７】
各鉄筋材５２が一体化された状態では、各鉄筋材５２の水平部５３及び結合部５４により四角環状の囲み部５８が形成されている。囲み部５８により囲まれた内側部分は、アンカーボルト１８（アンカーホール１９）が挿通されるアンカー挿通部５９となっている。
【００５８】
各鉄筋材５２にはそれぞれ、一対の鉛直部５５に架け渡されて複数のひび割れ防止筋６１が設けられている。ひび割れ防止筋６１は、鉛直部５５の長手方向に所定の間隔で設けられ、鉛直部５５に対して溶接等で固定されている。
【００５９】
補強筋５０は、さらに、各鉄筋材５２の鉛直部５５に架け渡されて設けられた一対の被支持部６２を有している。被支持部６２は、金属製の棒材（丸棒材）により形成され、その両端部において各鉛直部５５に溶接により固定されている。各被支持部６２のうち一方の被支持部６２は、各鉄筋材５２の一方の鉛直部５５同士の間に架け渡され、他方の被支持部６２は、各鉄筋材５２の他方の鉛直部５５同士の間に架け渡されている。各被支持部６２は、結合部５４の下方で結合部５４と平行に配置されており、上下方向（鉛直部５５の長手方向）で見て互いに同じ位置（同じ高さ位置）に位置している。
【００６０】
続いて、柱受け基礎１２における補強筋５０の配置構成を図５及び図６に加え図９を参照しながら説明する。図９は補強筋５０の配置構成を示す縦断面図であり、図５のＣ−Ｃ線断面図に相当する。
【００６１】
図５、図６及び図９に示すように、補強筋５０は、柱受け基礎１２の立ち上がり部１２ｂにおいて、各アンカーボルト１８Ｂ（アンカーホール１９Ｂ）ごとにそれぞれ設けられている。これら各補強筋５０はいずれも同じ構成を有している。各補強筋５０はそれぞれアンカー挿通部５９にアンカーボルト１８Ｂ（アンカーホール１９Ｂ）を挿通させた状態で設けられている。
【００６２】
各補強筋５０はそれぞれ、被支持部６２をはかま筋４１の上側横筋部４６上に支持させた状態で設けられている。この場合、第１方向Ｘに隣り合う２つの建物ユニット２０の各アンカーボルト１８Ｂに設けられた各々の補強筋５０が同一のはかま筋４１の上側横筋部４６に対して支持されている。つまり、本実施形態では、各はかま筋４１の上側横筋部４６に対してそれぞれ２つの補強筋５０が支持されている。
【００６３】
各補強筋５０の囲み部５８はそれぞれ、アンカーボルト１８Ｂ（アンカーホール１９Ｂ）の周囲を囲むように設けられている。囲み部５８は、立ち上がり部１２ｂにおいて上端部付近に位置している。囲み部５８において（その内側の）アンカーボルト１８Ｂよりも柱受け基礎１２の外側に配置された部位は剥落防止部６４となっている。具体的には、囲み部５８のうち、第１方向Ｘで見てアンカーボルト１８Ｂよりも基礎外側に位置する結合部５４と、第２方向Ｙで見てアンカーボルト１８Ｂよりも基礎外側に位置する水平部５３とがそれぞれ剥落防止部６４となっている。この剥落防止部６４によってアンカーボルト１８Ｂ周辺における柱受け基礎１２の剥落が防止されている。
【００６４】
また、各鉄筋材５２に設けられたひび割れ防止筋６１のうち、第２方向Ｙにおいてアンカーボルト１８Ｂよりも基礎外側に配置されたひび割れ防止筋６１はひび割れ防止部となっている。このひび割れ防止部によりアンカーボルト１８Ｂ周辺における柱受け基礎１２のひび割れが防止されている。
【００６５】
以上が、柱受け基礎１２の配筋構造に関する説明である。
【００６６】
図５及び図６には、柱受け基礎１２の配筋構造の他に、基礎梁１３内部の配筋構造が示されている。この配筋構造について簡単に説明すると、各基礎梁１３の内部には、基礎梁１３の長手方向に延びる梁配筋部７１が設けられている。梁配筋部７１は、基礎梁１３の長手方向に延びる複数の主筋７２と、それら複数の主筋７２を束ねるようにして設けられた複数のあばら筋７３（スターラップ）とを備える。複数のあばら筋７３は、主筋７２の長手方向に沿って所定の間隔で配置されている。なお、図示の構成では、第２方向Ｙに延びる基礎梁１３内の梁配筋部７１が柱受け基礎１２の内部を経由して当該基礎１２を挟んだ両側の各基礎梁１３に跨がって延びている。
【００６７】
以上、詳述した本実施形態の構成によれば、以下の優れた効果が得られる。
【００６８】
４つの建物ユニット２０をそれぞれ２つのアンカーボルト１８Ａ，１８Ｂで柱受け基礎１２に固定する構成にあって、各建物ユニット２０のアンカーボルト１８Ａを囲むようにフープ筋４２を設けたため、各アンカーボルト１８Ａ周辺における柱受け基礎１２の剥落防止を図ることができる。その一方で、各建物ユニット２０のアンカーボルト１８Ｂについてはフープ筋４２で囲まないようにし、その代わりとしてこれら各アンカーボルト１８Ｂごとにそれぞれ補強筋５０を設けるようにした。この場合、囲み部５８において（その内側の）アンカーボルト１８Ｂに対して基礎外側に配置される部分が剥落防止部６４となるため、各アンカーボルト１８Ｂ周辺における柱受け基礎１２の剥落防止を図ることができる。
【００６９】
また、上下方向に延びるはかま筋４１（主筋）に横向きに延びる上側横筋部４６を設け、その上側横筋部４６上に補強筋５０の被支持部６２を支持させることで補強筋５０を配置するようにした。この場合、施工現場で補強筋５０を柱受け基礎１２に配置（配筋）する際には、被支持部６２を上側横筋部４６上に載せるといった簡単な作業で補強筋５０を配筋することができる。このため、各アンカーボルト１８Ａを囲むフープ筋４２を配筋した後であっても、各アンカーボルト１８Ｂに対して補強筋５０を容易に配筋することができる。よって、現場での配筋作業を容易としながら、柱受け基礎１２の剥落防止を図ることができる。
【００７０】
ところで、各アンカーボルト１８Ａ，１８Ｂを１つのフープ筋により（矩形形状に）まとめて囲うことによっても、各アンカーボルト１８Ａ，１８Ｂ周辺における柱受け基礎１２の剥落防止を図ることは可能である。しかしながら、この場合、フープ筋の平面視の大きさが第１方向Ｘ及び第２方向Ｙのそれぞれに大きくなってしまい、フープ筋をその４隅で支える各主筋が柱受け基礎１２の４隅にて大きく外側に位置してしまうことが考えられる。これに対して、上述の配筋構造では、各アンカーボルト１８Ａのみを囲むようにフープ筋４２を設けたため、フープ筋４２の大きさを少なくとも第１方向Ｘにだけ大きくすればよい。そのため、１つのフープ筋でまとめて各アンカーボルト１８Ａ，１８Ｂを囲む場合と比べ、主筋（縦筋部４５）を独立基礎の４隅にて大きく外側に位置するよう配置する必要がない。そこで、上記の実施形態では、この点に着目し、柱受け基礎１２の４隅にそれぞれ切り欠き部１５を設けた。この場合、その切り欠き部１５の分だけ基礎ボリュームの低減を図ることができるため、柱受け基礎１２に隣接してインナガレージ３３が設けるに際し、インナガレージ３３にスペース上の制約が生じてしまうのを抑制することができる。
【００７１】
上下に延びる主筋（はかま筋４１）をその上端部において横向きに折り曲げて、その横向き部分によって、補強筋５０を支持する上側横筋部４６（支持部）を形成するようにした。この場合、支持部が主筋の一部により形成されるため、主筋とは別に支持部を形成しそれを主筋に溶接等で接合する場合と比べて、支持部を簡単に形成することができる。
【００７２】
主筋（はかま筋４１）を、一対の縦筋部４５と、それら一対の縦筋部４５の上端部同士を繋ぐ上側横筋部４６とを有して構成したため、各縦筋部がばらばらに設けられている構成と比べて、主筋の本数を減らすことができる。そのため、施工現場で主筋を基礎に配置（配筋）する際の作業工数の低減を図ることができる。
【００７３】
また、上側横筋部４６（支持部）には、隣り合う２つの建物ユニット２０の各アンカーボルト１８Ｂに設けられた各々の補強筋５０をそれぞれ支持させたため、それら各アンカーボルト１８Ｂの補強筋５０をそれぞれ個別の支持部により支持する構成と比べて、支持部の数を減らすことができる。そのため、構成の簡素化を図ることができる。
【００７４】
主筋（はかま筋４１）に、各縦筋部４５の下端部からそれぞれ横向きに延びる一対の下側横筋部４７を設け、それら各下側横筋部４７を柱受け基礎１２のフーチング部１２ａに設けられたベース配筋部３６上に載置するようにした。この場合、現場で主筋を柱受け基礎１２に配置（配筋）する際には、それら各下側横筋部４７をベース配筋部３６上に載置することで主筋を配置することができるため、主筋の配筋作業をし易くすることができる。
【００７５】
また、一対の下側横筋部４７を各縦筋部４５の下端部からそれぞれ互いに離間する側へ延びるように設けることで、主筋をはかま状をなすはかま筋４１として形成した。この場合、各下側横筋部４７がベース配筋部３６上で互いに離れた位置に配置されるため、主筋（はかま筋４１）を安定した状態で配置することができる。そのため、主筋の配筋作業をより一層し易くすることができる。
【００７６】
本発明は上記実施形態に限らず、例えば次のように実施されてもよい。
【００７７】
（１）上記実施形態では、上下方向に延びる主筋をはかま状に形成してはかま筋４１としたが、主筋の形態は必ずしもこれに限定されない。例えば、主筋を、上下方向に延びる縦筋部と、縦筋部の上下両端部から互いに反対側に向けて横向きに延びる上側横筋部（支持部に相当）及び下側横筋部を有してＺ型に形成することが考えられる。この場合、その主筋をフープ筋４２の４隅に配置し、それら４つの主筋の縦筋部をそれぞれフープ筋４２に結合する。そして、各主筋の上側横筋部をそれぞれ各アンカーボルト１８Ｂ付近に配置する。かかる構成にあっても、各主筋の上側横筋部上にそれぞれ各アンカーボルト１８Ｂの補強筋５０（詳しくは被支持部６２）を支持させることができる。
【００７８】
また、上記実施形態では、はかま筋４１（主筋）において、各下側横筋部４７（載置部）を各縦筋部４５の下端部から互いに離間する側へ横向きに延びるように設けたが、これを変更して、各下側横筋部４７を各縦筋部４５の下端部から上側横筋部４６の長手方向と直交する方向へ横向きに延びるよう設けてもよい。この場合でも、各下側横筋部４７をベース配筋部３６上に載置した状態で主筋を配置することができる。また、主筋に、下側横筋部４７を設けないようにしてもよい。
【００７９】
（２）上記実施形態では、支持部としての上側横筋部４６を主筋としてのはかま筋４１の一部により形成したが、支持部を主筋とは別体で形成してもよい。例えば、縦筋部４５及び下側横筋部４７を有してＬ字状をなす一対の主筋を形成し、それら一対の主筋の上端部同士を上側横筋部４６を構成する横筋（支持部に相当）により結合しはかま状としてもよい。
【００８０】
（３）主筋（縦筋部４５）をフープ筋４２の４隅位置に配置することに加え、さらにフープ筋４２の中間位置に配置するようにしてもよい。この場合、例えば４隅位置に配置する主筋については支持部を有する構成とし、中間位置に配置する主筋については支持部を有しない構成とすることが考えられる。
【００８１】
（４）補強筋５０の構成は必ずしも上記実施形態のものに限定されない。上記実施形態では、補強筋５０を一対の鉄筋材５２を有して構成し、それら一対の鉄筋材５２（鉄筋）により囲み部５８を形成したが、例えば囲み部５８を四角環状の一の鉄筋により形成してもよい。
【００８２】
また、上記実施形態では、囲み部５８を閉環状に形成したが、囲み部５８を開放部を有した環状に形成してもよい。例えば、囲み部５８を、鉄筋をコ字状に折り曲げて形成することが考えられる。この場合にも、コ字状をなす囲み部５８の内側にアンカーボルト１８Ｂを位置させた状態で補強筋５０を配置すれば、囲み部５８がアンカーボルト１８Ｂの周囲を囲むように設けられる。そして、囲み部５８においてアンカーボルト１８Ｂよりも基礎外側に配置される部分が剥落防止部として機能することになる。そのため、この場合にも、柱受け基礎１２の剥落防止を図ることができる。
【００８３】
（５）上記実施形態では、補強筋５０にひび割れ防止筋６１を設けたが、補強筋５０にひび割れ防止筋６１を設けないようにしてもよい。
【００８４】
（６）剥落防止部６４（囲み部５８）の高さ方向の自由度という観点からは、剥落防止部６４と被支持部６２との高さ方向の相対位置が調整可能であるとよい。例えば、鉛直部５５に対する被支持部６２の結合位置を鉛直部５５の長手方向に調整可能とすることが考えられる。具体的には、被支持部６２を、鉛直部５５に対してフック等の結合部材を介して着脱可能に取り付けられるようにし、施工現場にて被支持部６２を鉛直部５５に対して適切な高さ位置で取り付けられるようにすることが考えられる。これによれば、剥落防止部６４と被支持部６２との相対高さ位置を調整することにより、立ち上がり部１２ｂ内のはかま筋４１の上側横筋部４６の高さ位置に依存することなく、現場環境の相違に対して、それぞれに適した高さ方向の被り量とすることが可能となる。例えば、海岸近くであればコンクリートが中性化しやすいため、高さ方向の被り量は大きい方がよい。したがって、剥落防止部６４と被支持部６２との相対高さ位置が異なるものを多数用意しなくても現場環境の相違に対して柔軟に対応することができる。
【００８５】
（７）柱受け基礎１２において補強筋５０を適切な高さ位置に配置することができれば（詳しくは、囲み部５８の高さ方向の被り厚を適切な寸法に設定できれば）、補強筋５０をフープ筋４２により支持するようにしてもよい。この場合、各フープ筋４２のうち最も高い位置に配置されているフープ筋４２上に被支持部６２を支持させることで、補強筋５０を配置することが考えられる。
【００８６】
（８）上記実施形態では、隣り合う４つの建物ユニット２０をそれぞれ２つのアンカーボルト１８Ａ，１８Ｂにより柱受け基礎１２に固定したが、４つの建物ユニット２０のうちいずれか１〜３つの建物ユニット２０を２つのアンカーボルト１８Ａ，１８Ｂで柱受け基礎１２に固定し、それ以外の建物ユニット２０を１つのアンカーボルト１８Ａで柱受け基礎１２に固定することも考えられる。この場合にも、アンカーボルト１８Ｂごとに補強筋５０を設けるようにすることで、施工現場での配筋作業を容易としながら、アンカーボルト１８周辺の基礎剥落の防止を図ることができる。
【００８７】
また、アンカーボルト１８をフープ筋により囲むことで基礎の剥落防止を図る構成（図１１（ｂ）参照）では、４つの建物ユニット２０のうち一の建物ユニット２０だけを２つのアンカーボルト１８Ａ，１８Ｂで柱受け基礎１２に固定する場合でも、各アンカーボルト１８Ａを囲むフープ筋に加え、アンカーボルト１８Ｂを囲む別のフープ筋を設ける必要が生じると考えられる。そのため、４つの建物ユニット２０のうち一の建物ユニット２０だけを２つのアンカーボルト１８Ａ，１８Ｂで柱受け基礎１２に固定する場合でも、４つの建物ユニット２０それぞれを２つのアンカーボルト１８Ａ，１８Ｂで固定する場合と同様のフープ筋の配筋作業が発生することが考えられる。その点、アンカーボルト１８Ｂごとに補強筋５０を配設することで基礎剥落の防止を図る上記の構成によれば、アンカーボルト１８Ｂの数が少なければ、すなわち２つのアンカーボルト１８Ａ，１８Ｂで柱受け基礎１２への固定を行う建物ユニット２０の数が少なければ、その分補強筋５０の数が少なくなるため、現場での配筋作業を容易とすることができる利点がある。
【００８８】
（９）上記実施形態では、柱受け基礎１２の４隅にそれぞれ切り欠き部１５を設けたが、４隅のうちいずれか１〜３つの隅部にのみ切り欠き部１５を設けるようにしてもよい。例えば、柱受け基礎１２の４隅のうちインナガレージ３３と隣接する側の隅部にのみ切り欠き部１５を設けることが考えられる。
【００８９】
また、上記実施形態では、柱受け基礎１２に隣接してインナガレージ３３が設けられていたが、例えば柱受け基礎１２に隣接してエレベータが設けられる場合も考えられる。その場合にも、切り欠き部１５によって柱受け基礎１２の基礎ボリュームを低減させることでエレベータの配置スペースに制約が生じるのを抑制することができる。なお、柱受け基礎１２に切り欠き部１５を設けないようにしてもよい。
【００９０】
（１０）上記実施形態では、建物ユニット２０の床大梁２３をアンカーボルト１８により柱受け基礎１２に固定したが、柱２１のベースプレート３１の各張出部３１ａをそれぞれアンカーボルト１８により固定するようにしてもよい。
【符号の説明】
【００９１】
１０…建物、１１…外周基礎、１２…独立基礎としての柱受け基礎、１２ａ…フーチング部、１８…アンカー部としてのアンカーボルト、１８Ａ…第１アンカー部としてのアンカーボルト、１８Ｂ…第２アンカー部としてのアンカーボルト、２０…建物ユニット、２１…柱、２３…床梁としての床大梁、３０…柱集合部、３６…ベース配筋部、４１…主筋としてのはかま筋、４２…フープ筋、４５…主筋部としての縦筋部、４６…支持部としての上側横筋部、４７…載置部としての下側横筋部、５０…補強筋、５８…囲み部、６２…被支持部、６４…剥落防止部、Ｘ…第１方向、Ｙ…第２方向。
【図１】
2015140586.tif 000003
【図２】
2015140586.tif 000004
【図３】
2015140586.tif 000005
【図４】
2015140586.tif 000006
【図５】
2015140586.tif 000007
【図６】
2015140586.tif 000008
【図７】
2015140586.tif 000009
【図８】
2015140586.tif 000010
【図９】
2015140586.tif 000011
【図１０】
2015140586.tif 000012
【図１１】
2015140586.tif 000013